(57)【特許請求の範囲】
【請求項１】
複数の回線から接続すべき回線を選択して通信を行う通信装置であって、
入力されたダイヤル情報に基づいて複数の回線から接続すべき回線を選択する選択手段と、
前記入力されたダイヤル情報を変更する変更手段と、
前記選択手段により選択された回線に前記変更手段により前記変更されたダイヤル情報を送信する送信手段と、
通信結果をダイヤル情報と共に表示する表示手段と、
前記表示手段により表示するダイヤル情報を、変更前のダイヤル情報にするか、変更後のダイヤル情報にするかを設定する設定手段とを有することを特徴とする通信装置。
【請求項２】
前記選択手段は、入力されたダイヤル情報の一部を、所定の回線選択情報と比較し、一致した回線選択情報に対応する回線を選択することを特徴とする請求項１記載の通信装置。
【発明の詳細な説明】
【０００１】
【発明の属する技術分野】
本発明は、複数の回線から接続すべき回線を選択して通信を行う通信装置に関するものである。
【０００２】
【従来の技術】
従来、複数の回線に接続されているデータ通信装置、例えばファクシミリ装置において、送信する回線を選択する送信予約操作の際に、送信に使用する回線を指定するように構成されている。
【０００３】
また、複数の回線が異なる種類の網、例えば内線と外線であるような場合には、特定の番号を宛先ダイヤル番号の先頭に挿入することにより、予め決められた回線が固定的に選択され、入力されたダイヤル番号が回線から送出されるように構成されている。
【０００４】
【発明が解決しようとする課題】
しかしながら、上記従来例では、複数の回線が異なる種類の網、例えば内線と外線の場合や、複数の通信業者に接続されている場合には、送信予約操作で回線種別を選択する操作が必要になり、操作が煩雑になるという問題があった。
【０００５】
また、回線を選択する特定の番号が先頭にある時に、ある回線を固定的に選択するものでは、常にその番号が送出されてしまい、接続される回線を別の回線に変更した際には、そのままでは正しいダイヤル番号が送出されないため、通信を行うことができなかった。また、回線選択用の特定の番号を宛先ダイヤル番号と共に短縮ダイヤルやワンタッチダイヤル等に登録していた場合には、全て登録し直す必要があり、手間がかかるという問題もあった。
【０００６】
本発明は、ダイヤル情報に応じて回線を選択する通信装置の利便性を向上させることを目的とする。
【０００７】
【課題を解決するための手段】
本発明の請求項１は、複数の回線から接続すべき回線を選択して通信を行う通信装置であって、入力されたダイヤル情報に基づいて複数の回線から接続すべき回線を選択する選択手段と、前記入力されたダイヤル情報を変更する変更手段と、前記選択手段により選択された回線に前記変更手段により前記変更されたダイヤル情報を送信する送信手段と、通信結果をダイヤル情報と共に表示する表示手段と、前記表示手段により表示するダイヤル情報を、変更前のダイヤル情報にするか、変更後のダイヤル情報にするかを設定する設定手段とを有することを特徴とする。
【０００８】
また、請求項１の通信装置において、前記選択手段は、入力されたダイヤル情報の一部を、所定の回線選択情報と比較し、一致した回線選択情報に対応する回線を選択することを特徴とする。
【０００９】
【発明の実施の形態】
以下、図面を参照しながら本発明に係る実施の形態を詳細に説明する。
【００１０】
尚、以下の実施形態では、データ通信装置として、複数の回線から接続すべき回線を選択し、選択された回線に宛先ダイヤル番号を送出してファクシミリ通信を行うファクシミリ装置を例に説明するが、モデムを有する他のデータ通信端末に適用することも可能である。
【００１１】
図１は、実施形態におけるファクシミリ装置のシステム構成を示す図である。同図において、１は中央制御部（ＣＰＵ）であり、後述するＲＯＭに格納されたプログラムの内容に従って装置全体を制御する。プログラムは機能別にタスクと呼ばれる動作単位に分けられており、同様にＲＯＭに格納されるオペレーティングシステム（ＯＳ）と呼ばれるプログラムによって実行順序を管理され、擬似的に並列動作が可能に構成されている。また、後述する動作はそれぞれのタスクによって実行される。
【００１２】
２はＲＯＭであり、ＣＰＵ１のプログラムや各種制御データ等を格納する。３はＲＡＭであり、ＣＰＵ１が制御を実行する際に用いるワークエリアや後述する回線選択管理テーブル等を含むメモリである。４は画像メモリバックアップ回路（ＢＡＴ）であり、後述する画像メモリのバックアップ用回路である。５は画像メモリ（ＤＲＡＭ）であり、画像データを蓄積するためのメモリである。６は送受信バッファ（ＲＡＭ）であり、送受信される画像データを蓄積する。７は表示器（ＬＣＤ）であり、装置の動作状況等を表示する。８は操作キー（ＫＥＹ）であり、各種設定を行う際に用いられる。
【００１３】
９は読取記録用符号／復号デバイス（ＲＷ−ＣＯＤＥＣ）であり、内部に符号部（ＥＮＣ）、復号部（ＤＥＣ）、バッファ（ＣＯＤＥＣ＿ＢＵＦ）、読取部（ＳＣＮ）、記録部（ＰＲＮ）を含む。１０は画像処理回路（ＧＥＮＥＳＩＳ）であり、２値化処理や画像変換処理を行う。１１は補正回路（ＭＡＣＳ）であり、シェーディング補正等を行う。１２はコンタクトセンサ（ＣＳ）であり、原稿の読み取りを行う。１３はレーザプリンタ（ＬＢＰ）であり、可視画像を形成する。１４はプリンタ制御回路（ＬＣＮＴ）であり、レーザプリンタ（ＬＢＰ）１３を制御する。１５は記録画像処理回路（ＣＵＴＥ）であり、補正処理や画像変換処理等を行う。
【００１４】
１６は通信用符号／復号デバイス（Ｃ−ＣＯＤＥＣ１）であり、内部に符号部（ＥＮＣ）、復号部（ＤＥＣ）、バッファ（ＣＯＤＥＣ＿ＢＵＦ）、読取部（ＳＣＮ）、記録部（ＰＲＮ）を含み、１８の変／復調装置（ＭＯＤＥＭ１）、１９の網制御装置（ＮＣＵ１）により送受信用の回路を構成する。１７は通信用符号／復号デバイス（Ｃ−ＣＯＤＥＣ２）であり、通信用符号／復号デバイス（Ｃ−ＣＯＤＥＣ１）１６と同様に構成され、２０の変／復調装置（ＭＯＤＥＭ２）、２１の網制御装置（ＮＣＵ２）により、もう１系統の送受信用の回路を構成している。これにより、本実施形態では、送信動作及び受信動作を独立に行うことができる。
【００１５】
以上の構成からなるファクシミリ装置において、まず、原稿を読み取る動作について説明する。コンタクトセンサ（ＣＳ）１２によって原稿の画像が読み取られ、その画像信号は補正回路（ＭＡＣＳ）１１によってシェーディング補正等の処理が行われる。そして、画像処理回路（ＧＥＮＥＳＩＳ）１０によって２値化及び画像変換処理が行われ、読取記録用符号／復号デバイス（ＲＷ−ＣＯＤＥＣ）９の読取部（ＳＣＮ）にシリアルで入力される。ここで、入力された画像データはその内部バッファ（ＣＯＤＥＣ＿ＢＵＦ）に展開され、符号部（ＥＮＣ）によって所定の圧縮方法で圧縮符号化され、画像ファイルとして画像メモリ（ＤＲＡＭ）５に蓄積されると共に、受け付け番号、宛先情報、ページ数、各ページのライン数、各ページの読み取り幅、画像格納メモリブロック情報等の管理情報がＲＡＭ３に格納される。
【００１６】
次に、画像を記録する動作について説明する。まず画像メモリ（ＤＲＡＭ）５に蓄積された画像符号化データが読取記録用符号／復号デバイス（ＲＷ−ＣＯＤＥＣ）９の復号部（ＤＥＣ）によって伸長復号化され、内部バッファ（ＣＯＤＥＣ＿ＢＵＦ）に画像データとして展開される。展開された画像データは、その記録部（ＰＲＮ）からシリアルで出力され、記録画像処理回路（ＣＵＴＥ）１５によって補正及び画像変換処理が行われる。その後、プリンタ制御回路（ＬＣＮＴ）１４の制御により、レーザプリンタ（ＬＢＰ）１３によって記録紙に印字記録される。尚、本実施形態では、このプリンタ制御回路（ＬＣＮＴ）１４により、ＣＰＵ１がレーザプリンタ（ＬＢＰ）１３の内部の異常などをステータスとしてから読み取れるように構成されている。
【００１７】
次に、読み込んだ原稿画像を送信する動作について説明する。まず画像メモリ（ＤＲＡＭ）５に蓄積された画像符号化データが通信用／復号デバイス（Ｃ−ＣＯＤＥＣ１）１６の復号部（ＤＥＣ）によって伸長復号化され、その内部バッファに画像データとして展開される。展開された画像データは、必要に応じてＣＰＵ１によって縮小処理され、再び内部バッファに展開される。その後、通信用／復号デバイス（Ｃ−ＣＯＤＥＣ１）１６の符号部（ＥＮＣ）によって送信データに符号化され、送信バッファ（ＲＡＭ）６に転送される。そして、転送された送信データは変／復調装置（ＭＯＤＥＭ１）１８によって１バイトずつ、網制御装置（ＮＣＵ１）１９を通して回線に送出される。
【００１８】
次に、画像を受信する動作について説明する。送信機との同期が確立した後、受信データは網制御装置（ＮＣＵ１）１９を通して変／復調装置（ＭＯＤＥＭ１）１８に入力され、復調されて１バイトずつ、受信バッファ（ＲＡＭ）６に転送される。ここで、受信バッファ（ＲＡＭ）６に転送された受信データは、通信用／復号デバイス（Ｃ−ＣＯＤＥＣ１）１６の復号部（ＤＥＣ）によって伸長復号され、画像誤りが検査された後、内部のバッファＣＯＤＥＣ＿ＢＵＦに画像データとして展開される。そして、展開された画像データは、内部の符号部（ＥＮＣ）によって圧縮符号化され、画像メモリ（ＤＲＡＭ）５に蓄積されると共に、ＲＡＭ３に画像管理情報が格納される。
【００１９】
また同様に、本実施形態では、もう１系統の送受信用の回路（ＣＯＤＥＣ２・ＭＯＤＥＭ２・ＮＣＵ２）によって上述の送信動作／受信動作を独立に行うことも可能である。
【００２０】
また、ファクシミリ装置の操作者は、キー（ＫＥＹ）８を押下することにより、宛先のダイヤル番号の入力、原稿の読み込み処理の開始、送信の開始、中止の指示、或いは、後述する回線選択管理テーブルの内容の編集、装置の動作などの設定を行うことができる。このときに、ＣＰＵ１はキー（ＫＥＹ）８からの入力データを検出し、表示器（ＬＣＤ）７に必要なデータを表示させる。また、設定された内容はＲＡＭ３に記憶格納され、保持される。
【００２１】
次に、本実施形態における接続回線選択制御動作について説明する。図２は、回線選択管理テーブルの構成を示す図である。図２に示す例では、回線選択管理テーブルには、テーブル番号３１、回線選択番号３２、回線番号３３、回線選択番号を送出する／しない３４、送出しない場合の代理番号３５、の各情報が登録されている。そして、送信時に、この回線選択管理テーブルの各情報に基づき、入力されたダイヤル番号から接続すべき回線が選択される。尚、このテーブルは操作キーによって自由に書き換え可能であり、書き換えられた情報は不揮発性のメモリに記憶され、保持される。
【００２２】
ここで、図３に示すフローチャートに従って本実施形態における接続回線選択制御を説明する。尚、ＣＰＵ１が実行する接続回線選択制御のプログラムコードは、図４に示すように、ＲＯＭ等の記録媒体中に保持される。
【００２３】
まず、ステップＳ１において、操作者がキー（ＫＥＹ）８を押下して送信操作を行い宛先が指定されると、ＣＰＵ１は読取記録用符号／復号デバイス（ＲＷ−ＣＯＤＥＣ）９により上述した原稿画像の読み込みを開始する。次に、ステップＳ２において、指定された宛先（ワンタッチダイヤル／短縮ダイヤル／数字キーによる入力）からダイヤル番号をＲＡＭ３にコピーする。尚、比較を容易にするために入力ダイヤル番号の数字以外の文字列は削除しておく。そして、ステップＳ３において、コピーしたダイヤル番号の先頭から、ダイヤル番号と図２に示す回線選択管理テーブルの回線選択番号とをテーブル番号順に比較する。ここで、一致するものがあった場合にはステップＳ６に進み、そのテーブル番号を決定し、続くステップＳ７において、そのテーブル番号に対応する回線番号を接続回線として選択する。
【００２４】
次に、ステップＳ８において、決定したテーブル番号に対応する回線選択番号の送出の有無を調べ、図２に示す回線選択管理テーブルの「回線選択番号を送出する／しない」の情報が「送出する（１）」に設定されている場合にはステップＳ１２に進み、入力ダイヤル番号をそのまま選択した回線から送出する。また、「送出しない（０）」に設定されている場合にはステップＳ９に進み、入力ダイヤル番号から回線選択番号を除き、ステップＳ１０において、決定したテーブル番号に対応する代理番号の有無を調べる。ここで、代理番号が登録されていない場合にはステップＳ１２に進み、残りのダイヤル番号を選択した回線から送出する。また、代理番号が登録されている場合にはステップＳ１１に進み、その代理番号を入力ダイヤル番号の先頭に挿入し、ステップＳ１２に進み、ダイヤル番号として送出する。
【００２５】
一方、上述のステップＳ３において、回線選択管理テーブル上の回線選択番号と一致しない場合にはステップＳ４に進み、テーブル終了かを判断する。ここで、回線選択番号の何れとも一致しないままテーブルが終了した場合にはステップＳ５に進み、装置標準の回線選択方法により回線番号を決定する。そして、ステップＳ１２において、その回線番号からダイヤル番号を送出する。
【００２６】
尚、操作者はキー（ＫＥＹ）８の操作により、装置の設定データを編集でき、図２に示す回線選択管理テーブルの内容も、任意に書き換え可能である。また、通信の結果を示すレポートには、通常、ダイヤル番号情報が印字されるが、入力されたダイヤル番号をそのまま表示するか、回線が選択処理された後に、実際に回線に送出した番号を表示するかの切り替えを装置の登録情報として任意に設定できるようにしても良い。
【００２７】
このように、本実施形態によれば、回線選択のための番号を自由に決めることができ、接続する回線が変更になり、送出すべき選択番号が変更になった際にも、この回線選択管理テーブルのみを書き換えることにより、短縮ダイヤルやワンタッチダイヤルの登録番号を変更する作業も必要なく、複数の回線接続制御機能を有するファクシミリ装置の効率の良い運用が可能となる。
【００２８】
尚、本発明は複数の機器（例えば、ホストコンピュータ，インタフェイス機器，リーダ，プリンタなど）から構成されるシステムに適用しても、一つの機器からなる装置（例えば、複写機，ファクシミリ装置など）に適用してもよい。
【００２９】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読出し実行することによっても、達成されることは言うまでもない。
【００３０】
この場合、記憶媒体から読出されたプログラムコード自体が前述した実施形態の機能を実現することになり、そのプログラムコードを記憶した記憶媒体は本発明を構成することになる。
【００３１】
プログラムコードを供給するための記憶媒体としては、例えばフロッピーディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００３２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００３３】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００３４】
【発明の効果】
以上のように本発明によれば、変更前のダイヤル情報、変更後のダイヤル情報を選択的に通信結果に表示することにより、回線選択のための番号を通信結果から簡単に確認することができ、操作者の利便性を向上させることができる。
【００３５】
【図面の簡単な説明】
【図１】実施形態におけるファクシミリ装置のシステム構成を示す図である。
【図２】実施形態における回線選択管理テーブルの構成を示す図である。
【図３】実施形態における接続回線選択制御を示すフローチャートである。
【図４】記憶媒体に格納されたプログラムのメモりマップを示す図である。
【符号の説明】
１  中央制御部（ＣＰＵ）
２  ＲＯＭ
３  ＲＡＭ
４  画像メモリバックアップ回路（ＢＡＴ）
５  画像メモリ（ＤＲＡＭ）
６  送受信バッファ（ＲＡＭ）
７  表示器（ＬＣＤ）
８  操作キー（ＫＥＹ）
９  読取記録用符号／復号デバイス（ＲＷ−ＣＯＤＥＣ）
１０  画像処理回路（ＧＥＮＥＳＩＳ）
１１  補正回路（ＭＡＣＳ）
１２  コンタクトセンサ（ＣＳ）
１３  レーザプリンタ（ＬＢＰ）
１４  プリンタ制御回路（ＬＣＮＴ）
１５  記録画像処理回路（ＣＵＴＥ）
１６  通信用符号／復号デバイス（Ｃ−ＣＯＤＥＣ１）
１７  通信用符号／復号デバイス（Ｃ−ＣＯＤＥＣ２）
１８  変／復調装置（ＭＯＤＥＭ１）
１９  網制御装置（ＮＣＵ１）
２０  変／復調装置（ＭＯＤＥＭ２）
２１  網制御装置（ＮＣＵ２）
【図１】
0003581539.tif 000002
【図２】
0003581539.tif 000003
【図３】
0003581539.tif 000004
【図４】
0003581539.tif 000005